(57)【要約】本発明は、医療装置のハンドピース用の混合チャンバー、特に歯科用研磨噴射装置に関する。上記混合チャンバーは、第１流体流、特に液体流のための第１供給ライン（１０）を有し、そして上記混合チャンバーは、第２流体流、特に粉体／空気の混合物のための第２供給ライン（２０）を有する。ここで、上記２つの供給ライン（１０；２０）は、中心軸（Ｍ）に沿って延伸され、上記第２供給ライン（２０）は上記混合チャンバー内部、出口（１２）において終端する。上記混合チャンバーは、混合領域を有し、その中で、上記第１流体流は、上記出口（１２）の下流で上記第２流体流の方へ曲げられ、そして上記混合チャンバーは、加速領域（３０）を有し、その中で上記第１供給ライン（１０）は、上記第２供給ライン（２０）に平行に少なくとも３ｍｍの長さにわたって延伸されている。
2020500687.tif 000002
【特許請求の範囲】
【請求項１】
医療装置、特に歯科用粉体噴射装置、のハンドピース用の混合チャンバーであって、
前記混合チャンバーは、第１流体流、特に液体流、のための第１供給ライン（１０）を有し。
前記混合チャンバーは、第２流体流、特に粉体／空気の混合物、のための第２供給ライン（２０）を有し、
前記２つの供給ライン（１０；２０）は、中心軸（Ｍ）に沿って少なくとも部分的に延伸され、
前記第２供給ライン（２０）は、前記混合チャンバーの内側の、出口（２２）において終端し、
前記混合チャンバーは、混合領域（５０）を有し、その中で前記第１流体流は、前記出口（２２）の後ろ側で前記第２流体流の方向に向けられ、且つ
前記混合チャンバーは、加速領域（３０）を有し、その中で前記第１供給ライン（１０）は前記第２供給ライン（２０）の前記中心軸（Ｍ）に平行な所定の長さにわたって延伸されている、
上記混合チャンバー。
【請求項２】
前記第１供給ライン（１０）は、加圧された第１流体流を前記混合領域（５０）の方向へ向けるように適合された圧力ラインである、請求項１に記載の混合チャンバー。
【請求項３】
前記加速領域（３０）内の前記第１供給ライン（１０）は、実質的に中空円筒形状を有する、請求項１又は２に記載の混合チャンバー。
【請求項４】
前記第２供給ライン（２０）は、パイプ部分（２４）によって形成され、前記混合チャンバーのハウジング（１）は、前記パイプ部分（２４）に、又はその上に、配置され、好ましくは差し込まれ、ている、請求項１〜３のいずれか１項に記載の混合チャンバー。
【請求項５】
前記混合領域（５０）は、前記中心軸（Ｍ）の方へ延びる、前記混合チャンバーの内壁（１２）によって、特に円錐状に、形成されている、請求項１〜４のいずれか１項に記載の混合チャンバー。
【請求項６】
前記混合領域（５０）の前記内壁（１２）は、前記混合チャンバーの断面に対して、約０°〜８０°の範囲内の、角度（α）を有する、請求項５に記載の混合チャンバー。
【請求項７】
前記混合チャンバーは、前記出口（２２）と前記混合領域（５０）との間に配置された少なくとも１つの前部案内領域（４０）を有し、前記前部案内領域（４０）は、約０．８ｍｍまでの長さ（Ｌ４０）を有する、請求項１〜６のいずれか１項に記載の混合チャンバー。
【請求項８】
前記前部案内領域（４０）は、約１．２〜２．７ｍｍの直径（Ｄ４０）を有する、請求項７に記載の混合チャンバー。
【請求項９】
前記混合チャンバーは、前記混合領域（５０）の後ろ側に配置された少なくとも１つの後部案内部分（６０）を有し、前記後部案内部分（６０）は、約０．３〜１．２ｍｍの長さ（Ｌ６０）を有する、請求項１〜８のいずれか１項に記載の混合チャンバー。
【請求項１０】
前記混合チャンバーは、ノズル開口部（１４）を有し、ノズル直径（Ｄ１４）は、前記加速領域（３０）の直径（Ｄ３０）の約３０〜７０％である、請求項１〜９のいずれか１項に記載の混合チャンバー。
【請求項１１】
前記前部案内領域（４０）、前記混合領域（５０）、及び／又は前記後部案内領域（６０）は、少なくとも１つの、特に半径方向に配置された、入口（１６）を有する、請求項７〜１０のいずれか１項に記載の混合チャンバー。
【請求項１２】
請求項１〜１１のいずれか１項に記載の混合チャンバーを有する歯科用粉体噴射装置用のハンドピース。
【発明の詳細な説明】
【技術分野】
【０００１】
本発明は、医療装置、特に歯科用粉体噴射装置のハンドピース用の混合チャンバー、及び歯科用粉体噴射装置用のハンドピースに関する。
【背景技術】
【０００２】
上述の歯の表面を洗浄するための粉体噴射又は研磨用噴射装置に関しては、治療中の粉塵発生の問題がある。歯の洗浄に使用される粉体は、それに対応する洗浄効果を達成するために、歯の表面に衝突する非常に細かい粒子からなるが、同時に治療中に向きを変更して治療ゾーンに堆積する。この問題を解決するために、研磨用粉体流（特に粉体／空気流）が、水流と混合され、水流を旋回させ、又は水流で包み込まれることが従来技術から知られている。粉体／空気の混合物が歯に当たる前にそれを水で包み込み、しかしその後、粉体が口から洗い流されうるように水と混合することは有利である。
【０００３】
例えば、米国特許出願公開第２００４／０２０２９８０号明細書は、歯科用洗浄装置用のハンドピースを開示しており、このハンドピース内には洗浄液用のチャンバーが存在し、これは空気噴流と共に歯の表面に施与することができる。しかし、そのような「混合物」の洗浄効果は、洗浄用噴流の運動エネルギーが十分に高くないために比較的低い。粉体は溶液（懸濁液）中にのみ存在する。
【０００４】
米国特許第５，０９４，６１５号明細書は、ハンドピース内で水と研磨媒体とが混合される混合チャンバーを有するハンドピースを開示している。ここでもまた、研磨媒体（粉体結晶）は水流との早期の混合によってその運動エネルギーの多くを失うために、洗浄効果はかなり低い。
【発明の概要】
【発明が解決しようとする課題】
【０００５】
従って、本発明の目的は、医療用装置（特に歯科用粉体噴射装置）のハンドピース用の混合チャンバー、及び歯科用粉体吹付け装置用のハンドピースを提供することであり、それらは、上記の欠陥を取り除き、かつ効果的かつできるだけ埃の少ない、細くて薄い洗浄用噴流を用意する。
【課題を解決するための手段】
【０００６】
この目的は、請求項１に記載の混合チャンバー及び請求項１２に記載のハンドピースによって解決される。さらなる利点及び特徴は、従属請求項、並びに本記載及び添付の図面からもたらされる。
【０００７】
本発明によれば、医療装置、特に歯科用粉体又は研磨剤噴射装置、のハンドピース用の混合チャンバーは、第１流体流、特に液体流、のための第１供給ラインと、第２流体流、特に粉体／空気の混合物、のための第２供給ラインとを有し、これら供給ラインは、少なくとも部分的に中心軸に沿って延伸され、上記第２供給ラインは混合チャンバーの内側、出口において終端し、上記混合チャンバーは混合領域を有し、上記混合領域において、上記第１流体の流れは、（流れの方向に対して）出口のすぐ後又は出口の後ろ側で上記第２流体の流れの方向に向けられ、上記混合チャンバーは加速領域を有し、上記加速領域において、上記第１供給ラインは、所定の長さ、好ましくは少なくとも３ｍｍ、にわたって上記第２供給ラインの上記中心軸に実質的に平行に延びている。上記混合チャンバーにとって、適切に成形された内壁によって上記第１供給ラインを形成することは望ましい。上記第１供給ラインは、上記混合領域又は任意の既存の案内領域を形成し、一方、上記第２供給ラインは、上記混合チャンバーの内側、上記出口において終端する。この出口は「内側ノズル」とも呼ばれる。上記第１供給ライン又は混合チャンバーの上記端部は「外側ノズル」と呼ばれうる。
【０００８】
上記混合チャンバー又は上記混合チャンバーのハウジングは、様々な実施形態に従って、金属、セラミック、及び／又はプラスチックで作ることができ、例えばここで、上記内壁の形状又は輪郭は、鋳造されることができ、且つ必要ならば、例えば、穴あけ、又はフライス削り、又は三次元印刷によって、再加工又は直接に製造されうる。好ましい実施形態によれば、上記中心軸は、特に上記混合チャンバーの回転軸である。上記混合チャンバーは、上記第２供給ラインを含むか又は形成することができるが、上記第２供給ラインはまた、上記混合チャンバー又はそのハウジングの中に又は上に又は逆に、対応して配置される別個の構成要素でありうる。１実施形態によれば、上記混合チャンバー／ハウジングは、例えば交換可能であり、異なる寸法の混合チャンバーを、使用される粉体の種類に適合させること、例えば、ねじ込まれるか又は差し込まれるハンドピース上に配置されることを可能にする。
【０００９】
好ましい実施形態によれば、水が上記液体流／第１流体流として使用される。上記混合チャンバーの有利な実施形態のよって、非常に小さい粒径、例えば２５μｍより小さい、約１２μｍまでの、又はさらに小さい粒径を有する粉体もまた（歯洗浄用）粉体として使用されうる。上記加速領域を設けることは、上記液体流の運動エネルギーを増大させるか又は維持するので、特に有利であることが証明されている。エネルギーの豊富な第１流体流は、上記混合領域を介して第２流体流の方向に又はその上に導かれる。ここで、上記加速領域に起因して、第１流体流自体が高いエネルギーレベルを有するので、上記第１流体流は、第２流体流から如何なるエネルギーも抽出しない。言い換えれば、第１流体流は、第２流体流を「減速」させず、その結果は、膨張しないか又は上記混合チャンバーを出た後にわずかに膨張するだけの理想的な洗浄用噴流となる。従来技術から、例えば、２つの流れを混ぜる即ち混合するためにベンチュリ効果を用いることが知られている。これは、エネルギーが、２つの流体流のうちの少なくとも一方から抜き出されるという欠点を有する。その結果は、結果として生じる洗浄用噴流（それは第１及び第２流体流を含む）が、より少ないエネルギーを有し、特に組成が変動することである。このような洗浄用噴流は低速であるので、上記混合チャンバーを出た後に急速に膨張し、強い粉塵の発生又は歯のより正確さの劣る処置をもたらす。好ましい実施形態において、上記加速領域が、特に混合チャンバーの形状と関連して少なくとも３ｍｍ、４ｍｍ、５ｍｍ以上の最小長さを有することは、第１流体流が第２流体流と上記混合チャンバー内において出会うとき、第１流体流は減速されるのではなく、それを理想的に形成又は混合するか、又はその周囲にシェルを形成することを引き起こす。その結果、非常に細い又は細かい洗浄用噴流が得られ、それは、ほこりの発生を大幅に減らし、非常に精密な作業を可能にする。第１流体流は、第２流体流を優先的に包んでいる。
【００１０】
２つの流体流の速度は、異なる実施形態においては互いに一致させられ、そのことは、第１流体流の速度が第２流体流の速度よりも早い場合に、用いられる粉体の種類に依存するが、有利でありうる。
【００１１】
第１供給ラインは、加圧された第１流体流を上記混合領域の方向に向けるように適合されているところの圧力ラインであることが望ましい。一般的な圧力範囲は、例えば、約０〜２バールの範囲である。結果として、上記第１流体流の速度もまた、圧力レベルによって制御及び調整されうる。上記第２流体流もまた加圧下にあり、これは特に、例えば約１．５〜５．５バールの範囲の空気圧を指す。
【００１２】
好ましい実施形態によれば、上記加速領域内の上記第１供給ラインは本質的に、中空円筒の形状を有する。言い換えれば、上記第１供給ラインは、第２供給ラインを好都合に取り囲む／包む。それに対応して、上記加速領域の上記第１供給ラインは、内径と外径を有し、それによって上記第１供給ラインの上記外径は、上記混合チャンバーの内壁によって形成される。様々な実施形態において、上記加速領域における上記第１供給ラインの上記外径は、例えば、約１．２〜２．７ｍｍの範囲内、好都合には約１．４〜２．５ｍｍの範囲内、好ましくは約１．４〜２ｍｍの範囲内である。上記内径は、約０．８〜１．５ｍｍの範囲内、好ましくは約０．９〜１．４ｍｍの範囲内、特に好ましくは約１〜１．３ｍｍの範囲内である。
【００１３】
非円形供給部又は混合チャンバー断面の場合に、出口での第２供給部の内壁、即ち内側ノズルと、前部案内領域の（特に端部出口）の内壁、即ち外側ノズルとの間の距離（前方からノズル内を見たは）、０．１ｍｍ〜０．４ｍｍ、好ましくは約０．２ｍｍである。本発明の理解によれば、これらの値は、非円形ノズル及び平均して一定でない距離に対して、又はパイプ若しくはノズル部分の重要部分に対して有効である。円形ラインの断面（即ちノズル）の内径の好ましい値は、次の通りである。第２ライン（即ち内側のノズル）においては、最小０．５ｍｍ、最大０．９ｍｍ、好ましくは０．６５ｍｍであり、前部案内領域（即ち外側ノズル）においては：最小０．８５ｍｍ、最大１．５ｍｍ、好ましくは１．０５ｍｍであり、特に好ましくは、内側ノズルが０．６５ｍｍを有する場合である。非円形ライン断面の場合、内側ノズルの好ましい領域は、約０．１９〜０．６５ｍｍ２、好ましくは約０．３３ｍｍ２であり、外側ノズルについては、約０．５６〜１．７７ｍｍ２、好ましくは約０．８６ｍｍ２である。
【００１４】
好ましい実施形態において、上記第２供給ラインはパイプ部分によって形成されている。上記第２供給ラインが別個の構成要素でありうることは既に述べられている。上述されたように、上記第２供給ラインは、混合チャンバー又はそのハウジングが混合チャンバー上に又は混合チャンバーに（例えばプラグインで）配置されうるように構成されている。したがって、上記混合チャンバーは、パイプ部分へ又はハンドピースのハウジングへ取り付けられうる又は差し込まれうる取り付け具の一種のとして理解することもできる。上記第２供給ラインの内径は、好ましくは丸い、特に円形、又は出口の直径、即ち内側ノズルの直径は、様々な実施形態によって、約０．５ｍｍ〜０．９ｍｍ、好ましくは０．６５ｍｍの範囲である。
【００１５】
１実施形態によれば、上記加速領域における上記第１供給ラインからの上述の中空円筒形状は、混合チャンバーが対応する第２供給ライン上に若しくは対応する第２供給ラインへ、又は上記ハンドピースのハウジング上若しくは上記ハンドピースのハウジングへ差し込まれ、ねじ止めなどされるという事実によって形成される。ここで、上記第２供給ラインの外壁は、上記第１供給ラインの内径を形成する。
【００１６】
この点で、上記加速領域内の上記第１供給ラインが、上記第２供給ラインを完全に取り囲む必要のないことに言及されるべきである。上記第１供給ラインはまた、上記第２供給ラインの周りに配置された多数の軸方向チャネルによって形成されうる。このチャネルは例えば、丸い又は角形の断面を有しうる。上記チャネルはまた、上記第２供給ラインの周りに区分的に延伸されうる。
【００１７】
上記混合領域は、上記混合チャンバーの内壁が中心軸の方向に向かって、特に円錐状に、先細になるという事実に好適であるように形成される。
【００１８】
好ましい実施形態によれば、上記混合領域の内壁は、上記混合チャンバーの断面に対して、約０〜８０°の範囲内、好ましくは約０〜３０°の範囲内の角度を有する。この断面は、次に、中心軸がそれに対して垂直である上記混合チャンバーの平面を画定する。上記中心軸に沿って測定した上記混合領域の長さは、様々な実施形態によれば、例えば、約０．１〜０．５ｍｍの範囲内である。用語「先細にされ」は、上記内壁が先細にされてはいるが真直ぐであることを意味する。上記内壁はまた、上記混合領域において凸状又は凹状の形状を有しうる。必要ならば、上記２つの流体流の混合に影響を与えるために、上記混合領域の円周方向に波状又は鋸歯状の形状を与えることも可能である。この技術の標的とされた使用によって、上記中心軸に関して対称でない、又は上記中心軸と本質的に平行に上記混合チャンバーから出ることのない（例えば上記中心軸に対して傾斜し又は斜めに）洗浄用噴流を発生させることが可能である。これは、特定の治療状態、例えば到達しにくい場所に到達するために有利でありうる。
【００１９】
１実施形態によれば、いくつかの、例えば２つ又は３つの混合領域が設けられ、それらは前後に配置され、混合領域から混合領域への角度は好ましくは減少する。代わりに、「最後の」混合領域はまた、より均一な混合を可能にするようにより大きな角度を有することができる。
【００２０】
１実施形態によれば、上記ハンドピースに関する、上記第１及び第２供給ライン、又は上記混合チャンバーは、例えば、非対称又は傾斜された洗浄用噴流が積極的に偏向させられうるよう、互いに対して回転／位置決めされることが可能である。
【００２１】
１実施形態によれば、上記混合チャンバーは、端部出口と混合領域との間に配置された少なくとも１つの前部案内領域を有し、上記前部案内領域は、異なる実施形態により０〜０．５ｍｍの長さを有する。
【００２２】
上記前部案内領域はまた、上記混合チャンバーの内壁によって形成され、上記加速領域内の上記第１供給ラインの外径に好ましくは対応するところの直径を有する。代替的又は追加的に、いくつかの（例えば２つか３つの）前部案内領域を設けることが可能であり得、それぞれ直径の減少又は拡大を（例えば約１０〜２０％の範囲で）引き起こす。必要ならば、このようにして上記第１流体流からのエネルギーは、上記混合領域の上流で特異的に劣化されうるか、又は乱流が生成されて上記洗浄用噴流の形成に影響を及ぼしうる。この点において、上記前部案内領域は、幾何学的及びその機能の観点からも混合領域に対応しうる。
【００２３】
上記前部案内領域の長さは、１実施形態に従って調整されうる。これは、さまざまな粉体及びそれらの飛翔特性に対する目的とされた反応を可能にする。調節可能性を得るために、上記混合チャンバー／第１供給ラインは、例えば対応するネジによって、上記第２供給ラインに対して中心軸に沿って移動又は回転させられることができ、長さはそれに対応して調節されうる。
【００２４】
好ましい実施形態によれば、上記混合チャンバーは、上記混合領域の後ろ側に配置された少なくとも１つの後部案内領域を有し、上記後部案内領域は、例えば、０．３〜１．２ｍｍ、好ましくは０．５〜１ｍｍの長さを有する。上記後部案内領域（そこでは、上記洗浄用噴流がすでに混合されているか又は形成／成形されている）において、上記後部案内領域の長さにわたって「沈静化される」ことができ、その結果、出た後でさえも広がったり開いたりしない細い噴流が生成される。上記後部案内領域の壁は、好ましくは本質的に円筒形であるが、それが上記混合チャンバーを出る前に再び洗浄用噴流を形成するように円錐形、先細にされ又は広げられていてもよい。１実施形態によれば、混合チャンバーは、２以上の後部案内領域を有し、前後に配置された後部案内領域の直径は、案内領域から別の案内領域へ、例えば、約１０〜２０％減少又は増加させうる。特に案内領域（最終的に上記ノズル開口部を形成するか又はそれを取り囲む）において、必要に応じて洗浄用噴流の形状が依然として特に影響されうる対応する内部形状を提供することも可能である。例えば、上記第１及び第２流体流の包み込み／混合をさらに強化するために、軸方向に延びる溝を設けることが有利であることが実証されている。上記後部案内領域は、それに応じて洗浄用噴流を偏向させるために、上記中心軸に対して角度をなすことができる。そのような偏向された洗浄用噴流の利点は、特に回転混合チャンバーに関して既に述べられている。
【００２５】
上記後部案内領域は、上記出口での上記第２ラインの明確な通路、すなわち内側ノズルの明確な通路と等しいかそれよりも大きい明確な通路を有することは有利である。言い換えれば、上記後部案内領域の中心軸に垂直な断面の表面は、上記内側ノズルのそれよりも大きい。対応する複数の表面の比は、１以上であるが、１：１０以下、好ましくは約１：２．５であるべきである。例えば、上記内側ノズルは好ましくは０．６５ｍｍの直径を有し、上記外側ノズルは１．０５ｍｍの直径を有する。
【００２６】
上記混合チャンバーは好都合にはノズル開口部を有し、ノズル直径は上記加速領域の（外）直径の約３０〜７０％である。これは、出てくる洗浄用噴流が出口でもそのコンパクトな形状を維持することを保証する。好ましい実施形態において、上記ノズル開口部の直径は、約０．９〜１．７ｍｍ、特に約１．１〜１．５ｍｍ、特に約１．１〜１．３ｍｍである。同様のことが、後部案内部分の（最小）直径についても適用される。
【００２７】
１実施形態によれば、上記前部案内領域、上記混合領域、及び／又は上記後部案内領域は、少なくとも１つの、特に半径方向に配置された入口又は開口部／孔を有する。この入口は、流体、例えば空気又は水、をさらに供給又は吸引することを意図されている。例えば、周囲の空気でもよいが、代わりに、圧縮された空気／水又は（追加の）粉体／空気の混合物を供給するために対応する圧力ホースに接続することも可能である。
【００２８】
好ましい実施形態において、上記混合チャンバーは、０．５ｍｍまでの長さを有する前部案内領域を有し、それは混合領域を越えて約０．５〜１ｍｍの長さを有する後部案内領域に融合する。上記混合チャンバーの断面に対する上記混合領域の内壁の傾斜は、約０〜３０°の範囲内である。上記混合チャンバーのその内壁によって形成された内径は、上記加速領域及び上記前部案内範囲において約１．４〜２ｍｍの範囲を有する。上記後部案内領域の直径は、上記ノズル開口部と同様に、約１．４〜２ｍｍの範囲内にある。これは、実際の洗浄機能を有する粉体／空気の混合物が、水噴流と混合されたときにエネルギーを全く失わず、いわゆる「乱されない」ことを保証する。さらに、記載された幾何学的形状は、粉体／空気の混合物を水流（第１流体流）と正確に混合し、特に包み込むことを可能にし、これは粉塵の発生を首尾よく防止する。
【００２９】
本願のノズル形状は非常にコンパクトである。出口と端部出口との間の距離、即ち内側ノズルと外側ノズルとの間の距離は非常に小さく、約１〜８ｍｍ、好ましくは約２〜４ｍｍである。上記ノズル直径の比、即ち上記内側ノズルの直径と上記外側ノズルの直径の比もまた小さく、有利には約２：１〜１：１、好ましくは約１．５：１である。結果として、上記外側ノズル又は上記混合チャンバーの壁及び上記後部案内領域は、粉体粒子によって衝突されないか、又はそれらによってわずかに衝突されるだけであり、従来技術のように早く摩耗することはない。
【００３０】
本発明はまた、本発明による混合チャンバーを有する歯科用粉体噴射装置用のハンドピースに関する。上記混合チャンバーに関連して既に述べられた利点及び特徴は、同様に且つ対応して当てはまり、その逆も当てはまる。
【００３１】
さらなる利点及び特徴は、添付された図面の参照を伴う、本発明による混合チャンバーの好ましい実施形態の以下の説明からもたらされる。個々の実施形態の個々の特徴は、本発明の範囲内で互いに組み合わせることができる。
【図面の簡単な説明】
【００３２】
【図１】本発明による混合チャンバーの好ましい形態の断面図である。
【図２ａ】混合チャンバーの別のタイプの断面図である。
【図２ｂ】混合チャンバーのまた別のタイプの断面図である。
【図３】２つの後部案内領域を有する混合チャンバーの１形態の断面図である。
【図４】径方向の入口を有する混合チャンバーの１形態の正面図及び断面図である。
【発明を実施するための形態】
【００３３】
図１は、内壁１２を含むハウジング１を有する混合チャンバーの好ましい１実施形態を示す。混合チャンバーは、中心軸Ｍに沿って少なくとも３ｍｍの長さＬ３０を持つ加速領域３０を有する。混合チャンバーは、少なくとも３ｍｍの長さＬ３０を有する。この加速領域３０において、本質的に中空の円筒形状第１供給ライン１０は、第２供給ライン２０の周りに延伸されている。第２供給ライン２０は、出口２２で終端するパイプ部分又は管状部分２４によって形成されている。これは内側ノズルである。中心軸Ｍに沿って、長さＬ５０を有する混合領域５０がさらに形成されており、これは、混合チャンバーの内壁１２が、上記中心軸に垂直である第１供給ライン１０の断面に対して角度αで延伸されるという事実によって形成される。この角度は、好ましい実施形態によれば、おおよそ０°〜３０°の範囲内である。
【００３４】
混合領域５０と加速部分３０との間には、好ましい実施形態において、約０〜０．５ｍｍである長さＬ４０を有する前部案内領域４０がある。混合領域５０の後ろ側には、長さＬ６０の後部案内領域６０が形成され、それは端部出口又は外側ノズル開口部１４を形成し、そこを通って洗浄用噴流が最終的に混合チャンバーを出る。外側ノズル開口部１４は、例えば約１．１〜１．５ｍｍの範囲、好ましくは約１．１〜１．３ｍｍの範囲のノズル直径Ｄ１４を有する。加速領域３０における第１供給ケーブル１０の直径Ｄ３０又は前部案内領域４０の直径Ｄ４０は、好ましい実施形態において約１．４〜２．５ｍｍの範囲内、特に好ましい実施形態においては約１．４〜２ｍｍの範囲内にある。
【００３５】
図２ａは、混合チャンバーの別の形態を示す。特有の特徴として、混合領域５０がここで明らかにされ、それは第１流体流を中心軸Ｍの方向に向けるように構成され、内壁１２は真直ぐではなく、ほぼ弓形／凸状である。第２供給ライン２０は、２つの前部案内領域４０及び４０’が形成されるように配置される。２つの案内領域４０及び４０’は異なる直径を有し、したがってそれを越えることで第１流体流の流動エネルギーが具体的に除去されうるところの肩部を形成する。
【００３６】
図２ｂは、凸形状の混合領域５０を有する混合チャンバーのさらに別の実施形態を示す。特有の特徴として、肩が混合領域５０と後部案内領域６０との間に形成される。ここでは、第２供給ラインの配置は示されていない。しかし、第２供給ラインがどのように配置されているかに応じて、前部案内領域又はその寸法が影響を受け得ることが明らかになった。
【００３７】
図３は、第１後部案内領域６０と第２後部案内領域６０’とを有する混合チャンバーの１実施形態を示す。第２後部案内領域６０’の特有の特徴は、本質的に波形の内側輪郭である。
【００３８】
図４は、混合チャンバーの正面図及びその線分Ａ−Ａにおける断面図を示し、この混合チャンバーは、混合領域５０内に径方向に延伸される複数の入口／開口部１６を有している。
【００３９】
図２ａ、図２ｂ、図３、及び図４の明示的に言及されていない特徴は、図１から知られている特徴に対応し、したがって再度は言及されない。
【符号の説明】
【００４０】
１        ハウジング
１０        第１供給ライン
１２        内壁
１４        外側ノズル開口部
１６        開口部／入口
２０        第２供給ライン
２２        出口／内側ノズル
２４        パイプ／管状部分
３０        加速領域
４０        前部案内領域
５０        混合領域
６０、６０’      後部案内領域
Ｌ３０      加速領域の長さ
Ｌ４０      前部案内領域の長さ
Ｌ５０      混合領域の長さ
Ｌ６０      後部案内領域の長さ
Ｄ３０      加速領域の直径
Ｄ１４      外側ノズル開口部直径
Ｄ４０      前部案内領域の直径
Ｄ６０      後部案内領域の直径
Ｍ          中心軸
α          角度
【図１】
2020500687.tif 000003
【図２ａ】
2020500687.tif 000004
【図２ｂ】
2020500687.tif 000005
【図３】
2020500687.tif 000006
【図４】
2020500687.tif 000007
【手続補正書】
【提出日】平成31年2月19日(2019.2.19)
【手続補正１】
【補正対象書類名】特許請求の範囲
【補正対象項目名】全文
【補正方法】変更
【補正の内容】
【特許請求の範囲】
【請求項１】
医療装置、特に歯科用粉体噴射装置、のハンドピース用の混合チャンバーであって、
前記混合チャンバーは、第１流体流、特に液体流、のための第１供給ライン（１０）を有し。
前記混合チャンバーは、第２流体流、特に粉体／空気の混合物、のための第２供給ライン（２０）を有し、
前記２つの供給ライン（１０；２０）は、前記第２供給ラインの中心軸（Ｍ）に沿って少なくとも部分的に延伸され、
前記第２供給ライン（２０）は、前記混合チャンバーの内側の、出口（２２）において終端し、
前記混合チャンバーは、混合領域（５０）を有し、その中で前記第１流体流は、前記出口（２２）の後ろ側で前記第２流体流の方向に向けられ、
前記混合チャンバーは、加速領域（３０）を有し、その中で前記第１供給ライン（１０）は前記中心軸（Ｍ）に平行な所定の長さにわたって延伸され、
前記混合チャンバーは、前記出口（２２）と前記混合領域（５０）との間に配置された少なくとも１つの前部案内領域（４０）を有し、且つ前記第１供給ライン（１０）は、加圧された第１流体流を前記混合領域（５０）の方向へ向けるように適合された圧力ラインである、
上記混合チャンバー。
【請求項２】
前記加速領域（３０）内の前記第１供給ライン（１０）は、実質的に中空円筒形状を有する、請求項１に記載の混合チャンバー。
【請求項３】
前記第２供給ライン（２０）は、パイプ部分（２４）によって形成され、前記混合チャンバーのハウジング（１）は、前記パイプ部分（２４）に、又はその上に、配置され、好ましくは差し込まれ、ている、請求項１又は２に記載の混合チャンバー。
【請求項４】
前記混合領域（５０）は、前記中心軸（Ｍ）の方へ延びる、前記混合チャンバーの内壁（１２）によって、特に円錐状に、形成されている、請求項１〜３のいずれか１項に記載の混合チャンバー。
【請求項５】
前記混合領域（５０）の前記内壁（１２）は、前記混合チャンバーの断面に対して、約０°〜８０°の範囲内の、角度（α）を有する、請求項４に記載の混合チャンバー。
【請求項６】
前記前部案内領域（４０）は、約０．８ｍｍまでの長さ（Ｌ４０）を有する、請求項１〜５のいずれか１項に記載の混合チャンバー。
【請求項７】
前記前部案内領域（４０）は、約１．２〜２．７ｍｍの直径（Ｄ４０）を有する、請求項６に記載の混合チャンバー。
【請求項８】
前記混合チャンバーは、前記混合領域（５０）の後ろ側に配置された少なくとも１つの後部案内部分（６０）を有し、前記後部案内部分（６０）は、約０．３〜１．２ｍｍの長さ（Ｌ６０）を有する、請求項１〜７のいずれか１項に記載の混合チャンバー。
【請求項９】
前記混合チャンバーは、ノズル開口部（１４）を有し、ノズル直径（Ｄ１４）は、前記加速領域（３０）の直径（Ｄ３０）の約３０〜７０％である、請求項１〜８のいずれか１項に記載の混合チャンバー。
【請求項１０】
前記前部案内領域（４０）、前記混合領域（５０）、及び／又は前記後部案内領域（６０）は、少なくとも１つの、特に半径方向に配置された、入口（１６）を有する、請求項７〜９のいずれか１項に記載の混合チャンバー。
【請求項１１】
請求項１〜１０のいずれか１項に記載の混合チャンバーを有する歯科用粉体噴射装置用のハンドピース。
【国際調査報告】
2020500687.tif 000008
2020500687.tif 000009
2020500687.tif 000010
2020500687.tif 000011
2020500687.tif 000012
2020500687.tif 000013